【手続補正書】
【提出日】平成29年4月19日(2017.4.19)
【手続補正１】
【補正対象書類名】特許請求の範囲
【補正対象項目名】全文
【補正方法】変更
【補正の内容】
【特許請求の範囲】
【請求項１】
ウエハ容器のドアラッチ機構であって、
第１面と、該第１面とは反対側の第２面と、外周部とを有しているカムプレートであって、前記第１面及び前記第２面と略直交する中心軸線を中心として回転可能であり、前記第１面及び前記第２面を貫通する円弧状カムスロットを画定しており、前記円弧状カムスロットが第１カム面を有する内周部により囲まれているカムプレートと、
前記カムスロット内に配置されるとともに、前記第１カム面と係合可能であるカムフォロアと、
作動軸線に沿って移動可能であり、前記作動軸線に平行な方向にそれぞれ延びる第１延設部及び第２延設部を含む基端部を有しているラッチアームであって、前記第１延設部及び前記第２延設部は、前記第１延設部が前記カムプレートの第１面の近傍に位置するとともに前記第２延設部が前記カムプレートの第２面の近傍に位置するように前記カムプレートの外周部を越えて延び、前記カムフォロアは前記第１延設部及び前記第２延設部に連結されているラッチアームと、
を備えており、
前記カムプレートを前記中心軸線を中心に回転させると、前記第１カム面が前記カムフォロアと係合することにより前記ラッチアームの第１延設部及び第２延設部に対して前記作動軸線に沿って力を加える、
ウエハ容器のドアラッチ機構。
【請求項２】
ウエハ容器のドアラッチ機構であって、
第１面と、該第１面とは反対側の第２面と、外周部とを有しているカムプレートであって、前記第１面及び前記第２面と略直交する中心軸線を中心に回転可能であり、前記第１面及び前記第２面を貫通する円弧状カムスロットを画定しており、前記円弧状カムスロットが、第１カム面及び第２カム面を有する内周部により囲まれており、前記第２カム面が前記第１カム面に対向するカムプレートと、
前記カムスロット内に配置され、前記第１カム面及び前記第２カム面と選択的に係合可能であるカムフォロアと、
作動軸線に沿って移動可能であり、前記作動軸線に平行な方向にそれぞれ延びる第１延設部及び第２延設部を含む基端部を有しているラッチアームであって、前記第１延設部及び前記第２延設部は、前記第１延設部が前記カムプレートの第１面に近傍するとともに前記第２延設部が前記カムプレートの第２面に近傍するように前記カムプレートの外周部を越えて延び、前記カムフォロアが前記第１延設部及び前記第２延設部に連結されているラッチアームと、
を備えており、
前記カムプレートを前記中心軸線を中心に第１回転方向に回転させると、前記第１カム面が前記カムフォロアと係合して前記ラッチアームの第１延設部及び第２延設部に対して前記作動軸線に沿って第１移動方向に力を加え、
前記カムプレートを前記中心軸線を中心に前記第１回転方向と反対である第２回転方向に回転させると、前記第２カム面が前記カムフォロアと係合して前記ラッチアームの第１延設部及び第２延設部に対して前記作動軸線に沿って第２移動方向に力を加え、該第２移動方向は前記第１移動方向と反対である、
ウエハ容器のドアラッチ機構。
【請求項３】
前記カムフォロアが回転軸線を中心に回転可能なローラーを備えており、前記回転軸線が前記中心軸線と略平行である、請求項１又は２に記載のドアラッチ機構。
【請求項４】
前記カムプレートの第１面及び第２面の少なくとも一方から前記カムスロットに隣接する突条が延びて前記第１カム面を前記中心軸線と平行な方向に拡張している、請求項１又は２に記載のドアラッチ機構。
【請求項５】
ウエハ容器のドアラッチ機構を組み立てる方法であって、
第１面と、該第１面とは反対側の第２面とを有するカムフォロアを提供することであって、前記カムフォロアが、該カムフォロアの第１面と直交する方向に延びる第１突出部と、前記カムフォロアの第２面と直交する方向に延びる第２突出部とを有し、回転軸線から径方向外側に延設された係合部を有し、該係合部は、外径を有するとともに第１カム面と係合することと、
作動軸線と平行な方向にそれぞれ延びる第１延設部及び第２延設部を含む基端部を有するラッチアームを提供することであって、前記第１延設部と前記第２延設部との間には間隙が形成されており、前記第１延設部が、前記カムフォロアの第１突出部を該第１延設部に取り付けるための取付構造を有し、前記第２延設部が、前記カムフォロアの第２突出部を該第２延設部に取り付けるための取付構造を有することと、
中心軸線を中心に回転するとともに、前記中心軸線と直交する回転平面を中心として配置されているカムプレートを提供することであって、前記カムプレートが該カムプレートの外周部近傍に円弧状カムスロットを画定し、前記円弧状カムスロットと前記外周部との間に位置する前記カムプレートの周縁部が、前記ラッチアームの間隙の寸法よりも小さい径方向寸法及び軸方向寸法を有することと、
前記ラッチアームの間隙内に前記カムプレートの周縁部を配置することと、
配置する工程の後に、前記第１延設部の取付構造と前記第２延設部の取付構造とが前記回転平面の同じ側に位置するように前記ラッチアームを配向することと、
配向する工程の後に、前記ラッチアームの第１延設部及び第２延設部に前記カムフォロアを装着することと、
からなる方法。
【請求項６】
装着する工程の後に、前記ラッチアームが前記回転平面と略平行になるように、前記ラッチアームを、前記中心軸線から離れる方向に前記周縁部の周りにて回転させることをさらに含む、請求項５に記載の方法。
【請求項７】
カムフォロアを提供する工程において提供される前記カムフォロアの第１突出部及び第２突出部が軸部を形成し、前記カムフォロアが前記軸部を中心に回転可能である、請求項５に記載の方法。
【請求項８】
ウエハ容器のドアラッチ機構を組み立てる方法であって、
第１面と、該第１面とは反対側の第２面とを有するカムフォロアを提供することであって、前記カムフォロアが、該カムフォロアの第１面と直交する方向に延びる第１突出部と、前記カムフォロアの第２面と直交する方向に延びる第２突出部とを有し、回転軸線から径方向外側に延設された係合部を有し、該係合部は、外径を有するとともに第１カム面と係合することと、
作動軸線と平行な方向にそれぞれ延びる第１延設部及び第２延設部を含む基端部を有するラッチアームを提供することであって、前記第１延設部と前記第２延設部との間には間隙が形成されており、前記第１延設部が、前記カムフォロアの第１突出部を該第１延設部に取り付けるための取付構造を有し、前記第２延設部が、前記カムフォロアの第２突出部を該第２延設部に取り付けるための取付構造を有することと、
中心軸線を中心に回転するとともに、前記中心軸線と直交する回転平面を中心として配置されているカムプレートを提供することであって、前記カムプレートが該カムプレートの外周部近傍に円弧状カムスロットを画定し、前記円弧状カムスロットと前記外周部との間に位置する前記カムプレートの周縁部が、前記ラッチアームの間隙の寸法よりも小さい軸方向寸法を有することと、
前記円弧状カムスロット内にカムフォロアを配置することと、
前記カムプレートの周縁部が前記ラッチアームの間隙内に位置するように、前記円弧状カムスロット内に配置された前記カムフォロアに向かって前記第１延設部及び前記第２延設部を移動させることと、
前記カムプレートの周縁部が前記第１延設部と前記第２延設部と前記カムフォロアとの間に保持されるように前記カムフォロアを前記ラッチアームの第１延設部及び第２延設部に装着することと、
からなる方法。
【請求項９】
ウエハ容器のドアラッチ機構であって、
中心軸線を中心に回転可能であり、円弧状カムスロットを画定するカムプレートであって、前記円弧状カムスロットが第１カム面と第２カム面とを有する内周部により囲まれており、前記第２カム面が前記第１カム面に対向するカムプレートと、
前記カムスロット内に配置され、前記内周部と係合可能であり、作動軸線に沿って移動可能であるカムフォロアと、
前記作動軸線に沿って移動可能であるとともに前記カムフォロアに動作可能に連結されているラッチアームと、
を備えており、
前記カムプレートが前記中心軸線を中心に第１回転方向に回転することにより、前記ドアラッチ機構の閉鎖動作中に、前記第１カム面が前記カムフォロアと係合するとともに前記第２カム面が前記カムフォロアから離れ、前記カムプレートが前記中心軸線を中心に前記第１回転方向と反対の第２回転方向に回転することにより、前記ドアラッチ機構の開放動作中に、前記第１カム面が前記カムフォロアから離れるとともに前記第２カム面が前記カムフォロアと係合し、これにより、前記カムフォロアが前記カムスロットの内周部に対して閉ループ状経路を画定する、
ドアラッチ機構。
【請求項１０】
ウエハ容器であって、
容器部と、ドアフレームに嵌入されて前記容器部を密閉するドアと、
ラッチ機構であって、
中心軸線を中心に回転可能であるとともに円弧状カムスロットを画定しているカムプレートであって、前記円弧状カムスロットが第１カム面を有する内周部に囲まれているカムプレートと、
前記カムスロット内に配置され、前記内周部と係合可能であり、作動軸線に沿って移動可能であるカムフォロアと、
移動可能であり、前記作動軸線に沿って配置された基端部及び先端部を有しており、前記カムフォロアに動作可能に連結されており、前記作動軸線に平行な方向に延びている第１延設部及び第２延設部を前記基端部に有しているラッチアームであって、前記第１延設部と前記第２延設部との間には間隙が形成されており、前記カムプレートの外周部の一部が前記間隙内に位置するように前記第１延設部及び前記第２延設部が前記外周部を越えて延びており、前記カムフォロアが前記第１延設部及び前記第２延設部に連結されており、前記先端部に動作可能に連結されたラッチ部材を備えているラッチアームと、を有しているラッチ機構と、
を備えており
前記カムプレートが前記中心軸線を中心に回転すると、前記第１カム面が前記カムフォロアと係合して、前記ラッチアームの第１延設部及び第２延設部に対して前記作動軸線に沿って第１方向に力を加え、これにより、前記ラッチ部材が、前記ドアを前記ドアフレームに対して係合させて密閉状態をもたらす、
ウエハ容器。
【手続補正２】
【補正対象書類名】明細書
【補正対象項目名】発明の名称
【補正方法】変更
【補正の内容】
【発明の名称】ウエハ容器、ウエハ容器のドアラッチ機構及びドアラッチ機構を組み立てる方法